(57)【要約】【課題】従来よりも高度なアナログ時計表示が行えるようにする。【解決手段】表示部の表示領域上の所定箇所を中心点として１２時間で一周する時針１１０と、所定の中心点を中心として６０分で一周する分針１２０とを、現在時刻に対応した角度位置で表示させて、アナログ時計表示を行う。そして、表示部の表示領域の背景色を、時針１１０の表示と分針１２０の表示とで形成される一方の角度範囲内を第１の表示色とし、他方の角度範囲内を第２の表示色に設定する。【選択図】図２
2009293960.tif 000002
【特許請求の範囲】
【請求項１】
画像表示が可能な表示部と、
前記表示部での表示として、前記表示部の表示領域上の所定箇所を中心点として１２時間で一周する時針と、所定の中心点を中心として６０分で一周する分針とを、現在時刻に対応した角度位置で表示させると共に、前記表示部の表示領域の背景色として、前記時針表示と前記分針表示とで形成される一方の角度範囲内の背景を第１の表示色とし、他方の角度範囲内の背景を第２の表示色に設定する表示制御部とを備える
表示装置。
【請求項２】
前記表示制御部は、前記時針の表示位置と前記分針の表示位置とが重なるタイミングで、前記背景色を入れ替える制御を行う
請求項１記載の表示装置。
【請求項３】
前記表示制御部は、前記一方の角度範囲内の前記第１の表示色の背景の範囲と、前記他方の角度範囲内の前記第２の表示色の背景の範囲との設定を行うために、前記時針及び分針の角度に基づいたマスク範囲を設定し、その設定したマスク範囲から、前記第１及び第２の表示色の背景の範囲を算出する
請求項２記載の表示装置。
【請求項４】
前記表示制御部は、前記時針中に、数字で現在の時を表示し、前記分針中に、数字で現在の分を表示させる制御を行う
請求項１記載の表示装置。
【請求項５】
前記時針中の数字での時の表示位置を、前記時針の表示角度の変化に伴って、第１の円を描くように変化させ、前記分針中の数字での分の表示位置を、前記分針の表示角度の変化に伴って、前記第１の円とは中心位置が異なる第２の円を描くように変化させる制御を前記表示制御部が行う
請求項４記載の表示装置。
【請求項６】
画像表示が可能な表示部と、
前記表示部での表示として、前記表示部の表示領域上の所定箇所を中心点として１２時間で一周する時針と、所定の中心点を中心として６０分で一周する分針とを、現在時刻に対応した角度位置で表示させると共に、前記表示部の表示領域の背景色を、前記時針表示と前記分針表示とで形成される一方の角度範囲内を第１の表示色とし、他方の角度範囲内を第２の表示色に設定する表示制御部とを備える
携帯端末装置。
【請求項７】
画像表示が可能な表示部に時計表示を行う場合に、
前記表示部の表示領域上の所定箇所を中心点として１２時間で一周する時針と、所定の中心点を中心として６０分で一周する分針とを、現在時刻に対応した角度位置で表示させると共に、前記表示部の表示領域の背景色を、前記時針表示と前記分針表示とで形成される一方の角度範囲内を第１の表示色とし、他方の角度範囲内を第２の表示色に設定する
表示方法。
【発明の詳細な説明】
【技術分野】
【０００１】
本発明は、例えば液晶表示パネル（ＬＣＤパネル）などの表示パネルに時計を表示させる表示装置及び携帯端末装置、並びに表示方法に関する。
【背景技術】
【０００２】
従来、携帯電話端末装置などの画像表示可能な表示装置においては、現在時刻を表示する機能を備えたものが多々ある。現在時刻を表示する場合には、デジタル時計として、数字で時刻を表示するものが一般的である。
また、時針と分針を表示させるアナログ時計の表示を、画像として表示する携帯電話端末装置も存在する。
【０００３】
特許文献１には、携帯電話端末が備える表示部にアナログ時計表示を行う例についての記載がある。
【特許文献１】特開２００３−２８９３６３号公報（図１）
【発明の開示】
【発明が解決しようとする課題】
【０００４】
ところで、従来の携帯電話端末装置などの携帯機器でのアナログ時計表示としては、時計の時針（短針）と分針（長針）を画像表示して、単に通常のアナログ時計を模した表示を行うだけであった。このため、画像表示が可能な表示パネルの描画機能を有効に活用したアナログ時計表示とは言えなかった。
【０００５】
本発明はかかる点に鑑みてなされたものであり、従来よりも高度なアナログ時計表示が行えるようにすることを目的とする。
【課題を解決するための手段】
【０００６】
本発明は、画像表示が可能な表示部を備えた機器に、時計表示を行う場合に適用される。
その時計表示としては、表示部の表示領域上の所定箇所を中心点として１２時間で一周する時針と、所定の中心点を中心として６０分で一周する分針とを、現在時刻に対応した角度位置で表示させる。そして、表示部の表示領域の背景色を、時針表示と分針表示とで形成される一方の角度範囲内を第１の表示色とし、他方の角度範囲内を第２の表示色に設定する。
【０００７】
このようにしたことで、２つの背景色の表示範囲が時刻の変化で変わり、各針の位置だけでなく、色の変化状態でも時刻が表示され、アナログ時計として時刻が判りやすい良好な表示形態となると共に、デザイン的にも優れた表示形態となる。
【発明の効果】
【０００８】
本発明によると、時針と分針で仕切られる２つの背景の色の表示範囲が、時刻の変化で刻々と変わり、各針の位置だけでなく、色の変化状態でも時刻が判る表示形態となり、アナログ時計としての良好な表示形態が得られる。また、２つの色の組み合わせによる背景画像表示が行われ、デザイン的にも優れた表示形態となる効果を有する。
【発明を実施するための最良の形態】
【０００９】
以下、本発明の実施の形態を、添付図面を参照して説明する。
【００１０】
［装置の全体構成例］
図１は、本実施の形態の表示装置を適用した例である、携帯電話端末の内部構成を示すブロック図である。
図１に示した構成について説明すると、携帯電話端末１０は、中央制御ユニット（ＣＰＵ）として構成された制御部１１を備え、その制御部１１が制御ライン２１を介して各部の制御を行う。制御ライン２１とは別に、音声データなどを伝送させるためのデータライン２２についても備える。制御部１１には、操作部３０からの操作指令が供給される。操作部３０としては、例えば、図２を参照して後述するダイヤルキー３１や機能キー３２などがある。
【００１１】
また、携帯電話端末１０は、携帯電話端末として基地局などと無線通信を行う通信処理部１２を備え、通信処理部１２にアンテナ１３が接続してある。この通信処理部１２で受信したデータの内の音声データは、データライン２２を介して、音声処理部１５に供給し、音声データの復調などを行って、スピーカ１６に供給する。そして、スピーカ１６から放音させる。また、マイクロフォン１７に入力された音声による音声データを、音声処理部１５で得る。その得られた音声データを、データライン２２を介して、通信処理部１２に供給して、基地局側に無線送信させる。
【００１２】
また、メールデータ、ウェブの閲覧画面のデータ、ダウンロードした画像データや音楽データなどの各種データを通信処理部１２で受信した場合には、それらのデータをメモリ１４又は記憶媒体インターフェース部１８を介して接続された外部メモリ（図示せず）に記憶させ、画像表示や音楽再生などを行う。
これらの受信したデータによる画像表示や、携帯電話端末として必要な発信時や着信時の表示、電話帳表示などを行うために、表示部４０を備える。
【００１３】
表示部４０は、図２に示すように所定の表示領域を有する表示パネル４１を備え、カラー画像の表示が可能である。表示パネル４１としては、例えば液晶画像表示パネルや有機ＥＬ画像表示パネルなどが適用可能である。この表示部４０での表示は、制御部１１の制御により実行される。従って、制御部１１は表示制御部としての機能を備える。後述する時計表示のための描画制御処理についても、制御部１１が行う。また、制御部１１は、現在時刻をカウントする時計機能部を備え、その時計機能部で得た現在時刻のデータに基づいて、制御部１１が後述するアナログ時計表示のための描画処理を行う。アナログ時計表示を描画するために必要なプログラムについては、例えばメモリ１４に記憶させてある。後述する色のデータについても、メモリ１４などに記憶させてある。
【００１４】
そして表示部４０での表示として、本例においては、携帯電話端末の待ち受けなどに時計表示を行うようにしてある。その時計表示として、現在時刻に応じた角度位置で、時針と分針とを表示させるアナログ時計表示を行うようにしてある。
【００１５】
［装置の形状と時計の表示例］
図２は、携帯電話端末１０の外観例と、その端末１０の表示部４０が備える表示パネル４１でのアナログ時計表示形態の例を示した図である。
この例では、携帯電話端末１０として、表面の下部に、数字や記号などに対応したダイヤルキー３１と、各種機能キー３２が配置してあり、表面の上側には、表示パネル４１が配置してある。
【００１６】
表示パネル４１の上端には、電波状態表示１０１、電池残量表示１０２、デジタル時計表示１０３などの携帯電話端末として一般的な情報表示がある。そして、表示パネル４１の表示領域のほぼ中心部を回転中心として、時針１１０と分針１２０とによるアナログ時計表示を行うようにしてある。
【００１７】
時針１１０と分針１２０とによる表示形態について説明すると、時針１１０と時針１１０とのそれぞれは、中心から長く伸びた側を、表示パネル４１の表示領域の端部まで常に伸ばして表示させてある。それぞれの反対側の端部１１０ａ及び１２０ａについては、回転中心から所定長（例えば１ｃｍ程度）まで伸ばして表示させてある。
時針１１０は、分針１２０よりも幅が太い針として表示させてある。
時針１１０中には、数字で時刻の時を表示させる時表示１１１と、曜日を文字で表示させる曜日表示１１２とを行うようにしてある。時表示１１１は、回転中心から離れた端部寄りの位置で行う。曜日表示１１２は、回転中心位置で行う。
分針１２０中には、数字で時刻の分を表示させる分表示１２１を行うようにしてある。
時針１１０と分針１２０の表示位置は、例えば１分ごとに表示位置を変化させるようにしてある。即ち、分針１２０は、１分ごとに６°ずつ表示位置を変化させ、時針１１０は、１分ごとに０．１°ずつ表示位置を変化させる。表示位置を変化させる際には、一時的に、時針１１０と分針１２０を拡大表示させて、それぞれの針１１０，１２０中の時表示１１１と分表示１２１と曜日表示１１２の文字サイズを大きくして表示させるようにしてある。この大きく表示される時間は、例えば１秒程度の非常に短い時間である。
【００１８】
なお、時表示１１１は、１２時間表示を行う場合と、２４時間表示を行う場合のいずれを設定するようにしてもよい。１２時間表示の場合には、午前・午後の区別を文字などで表示させてもよい。また、本例の場合には、数字や文字の表示は、針の角度位置に応じて回転させて表示させるようにしてあるが、文字の上下方向を常に一定の方向とした表示としてもよい。
【００１９】
図３及び図４は、図２とは別の時刻での表示例を示したものである。図３の例と図４の例は、それぞれ時針１１０と分針１２０とが重なった場合の表示例である。
図３は、２４時間制で１６時２２分の表示例を示したものである。このときには、時針１１０と分針１２０とが重なっているため、太い方の針である時針１１０の太さで１本の針が表示され、その針１１０の上に、時表示１１１と分表示１２１と曜日表示１１２とを行うようにしてある。
この図３に示すように、各針１１０，１２０が画面の右側で重なった際には、中心から曜日表示１１２、時表示１１１、分表示１２１の順で表示させる。
また、図４に示すように、各針１１０，１２０が画面の左側で重なった際には、中心から曜日表示１１２、分表示１２１、時表示１１１の順で表示させる。
【００２０】
このように表示位置が設定されるために、時表示１１１の表示位置が時針１１０の位置によって変化する軌跡１１１ａと、分表示１２１の表示位置が分針１２０の位置によって変化する軌跡１２１ａとは、図３に示すように、左右にずれた位置の楕円としてある。このように左右にずれて楕円の軌跡１１１ａ，１２１ａを設定することで、常に左から「時」と「分」の順序で表示されて、表示された数字が見やすい表示形態となる。
図３では各軌跡１１１ａ，１２１ａは楕円で示してあるが、それぞれ真円の軌跡でもよい。
【００２１】
［時計の表示時の背景色の設定処理例］
そして本実施の形態での表示として、現在時刻での時針１１０と分針１２０との表示角度により仕切られる２つの背景を、それぞれ別の色で表示させるようにしてある。但し、２つの針１１０，１２０が重なって表示される時刻では、背景色は１色である。
この２つの背景色での表示を行うために、図２に示すように、時針１１０の角度位置で決まる半円状の背景Ａの範囲１３１と、分針１２０の角度位置で決まる半円状の背景Ｂの範囲１３２と、それ以外の背景Ｃの範囲１３３とを設定してある。その３つの範囲１３１，１３２，１３３から、背景色が決まる。但し、範囲１３１と範囲１３２は、同じ色を割り当てる範囲である。
【００２２】
図５は、図２に示した表示要素を分解して示した図である。
図５において破線で示したのが、時計の各針１１０，１２０の回転中心であり、時針１１０で半円状の背景Ａの範囲が決まり、分針１２０で半円状の背景Ｂの範囲が決まる。背景Ｃは、背景Ａと背景Ｂが設定されない位置に表示されるものである。
【００２３】
図６のフローチャートは、時計の時刻の変化に伴って、背景Ａと背景Ｂとを決める状態の変化を示したものである。本実施の形態においては、この半円状の背景Ａと背景Ｂを決めるに際して、同じく半円状のマスクＡ及びマスクＢを設定してある。各マスクＡ，Ｂの例は、図７に示してある。
そして、マスクＡと背景Ａとが重なる部分を、実際に背景Ａとして設定された色を表示させる範囲とする。背景Ｂについても、マスクＢと背景Ｂとが重なる部分を、実際に背景Ｂとして設定された色を表示させる範囲とする。
【００２４】
図６のフローチャートの処理について説明すると、まず時計の描画を開始すると、現在の時刻を判断し、その時刻での色の対応表（後述：図８の例）を参照して、背景Ａ及びＢの色と、背景Ｃの色を設定する。背景Ａと背景Ｂの色は、常に同じ色であり、背景Ｃはそれとは別の色が選定される。色の対応表は、例えばメモリ１４に記憶される。
【００２５】
そして、現在時刻での時針１１０と分針１２０との成す角度が１８０°以内か否か判断する（ステップＳ１１）。ここで、１８０°以内である場合には、ステップＳ１２に進み、背景Ａのマスクを時針１１０の角度、背景Ａを時針１１０の角度、背景Ｂのマスクを分針１２０の角度、背景Ｂを時針１１０の角度にそれぞれ設定する。このような設定で、背景Ａのマスクと背景Ａとが重なる範囲で、背景Ａの色で表示させる範囲を決め、背景Ｂのマスクと背景Ｂとが重なる範囲で、背景Ｂの色で表示させる範囲を決め、残りの範囲を背景Ｃの色で表示させる範囲とする。
【００２６】
このようにして時計表示を行い、１分ごとに各針１１０，１２０の表示位置を更新させる。そして、現在の時刻での時針１１０と分針１２０との成す角度が１８０°になったか否か判断する（ステップＳ１３）。この判断で、１８０°になったと判断した場合には、ステップＳ１４に進み、背景Ａのマスクを時針１１０の角度、背景Ａを分針１２０の角度、背景Ｂのマスクを分針１２０の角度、背景Ｂを分針１２０の角度にそれぞれ設定する。このような設定で、背景Ａのマスクと背景Ａとが重なる範囲で、背景Ａの色で表示させる範囲を決め、背景Ｂのマスクと背景Ｂとが重なる範囲で、背景Ｂの色で表示させる範囲を決め、残りの範囲を背景Ｃの色で表示させる範囲とする。
【００２７】
このようにして、１分ごとに各針１１０，１２０の表示位置を更新させて、時計表示を行い、時針１１０と分針１２０とが重なった表示状態になったか否か判断する（ステップＳ１５）。この判断で、両針１１０，１２０が重なって表示されたと判断した場合に、背景Ａ，Ｂ，Ｃの色を、色の対応表に従って変更させる（ステップＳ１６）。そして、ステップＳ１２の処理に戻って描画を継続させる。
【００２８】
図７は、このようにして時計の描画を行った場合の、時刻の変化による表示例（ａ）と、それぞれの時刻での背景Ａ及びそのマスク（ｂ）と、それぞれの時刻での背景Ｂ及びそのマスク（ｃ）と、それぞれの時刻での背景Ｃ及びそのマスク（ｄ）を示したものである。
図７（ｂ）に示すように、マスク１３１ａとＡの背景範囲１３１とが重なる範囲で、背景Ａの色として表示させる範囲（斜線を付与して示す範囲）が決まる。
同様に、図７（ｃ）に示すように、マスク１３２ａとＢの背景範囲１３２とが重なる範囲で、背景Ｂの色として表示させる範囲（斜線を付与して示す範囲）が決まる。
そして、図７（ｄ）に示すように、背景Ａ，Ｂ以外の範囲で、背景Ｃの色として表示させる範囲（斜線を付与して示す範囲）が決まる。
【００２９】
図８は、色の対応表の例を示したものである。
この例では、背景色として、２２種類の色を用意して、それぞれの色ごとに色の番号（Ｎｏ．１〜Ｎｏ．２２）を付与して、２４時間で色が変化するようにしてある。各色番号ごとに、予め色が決めてある。例えば、Ｎｏ．１：赤，Ｎｏ．２：緑，Ｎｏ．３：紫，・・・と２２の色番号ごとに色が設定してある。但し、同じ色が続かない限りは、２２種類の色の内の一部の色番号に同じ色を割り当てるようにしてもよい。あるいは、１１種類の色を１２時間に割り当てるようにして、１２時間ごとに同じ色変化となるようにしてもよい。色番号と色との対応については、予め決められた色以外に、ユーザ操作で自由に設定できるようにしてもよい。
【００３０】
図６のフローチャートで示したように、色の変更は、時針１１０と分針１２０とが重なる時刻に行われ、図８の対応表に示すように、両針１１０，１２０が重なる時刻から、次に重なる時刻までの間に、表示に示した背景Ａ，Ｂ及び背景Ｃの色番号が設定される。
この図８の対応表から判るように、ある時刻で背景Ａ，Ｂの色として設定された色は、次に両針１１０，１２０が重なるタイミングで、背景Ｃの色として設定し、順に色を引き継ぐ処理が行われる。このようにしたことで、両針１１０，１２０が重なった状態から、分針１２０が速く回転して開いた角度に、順に新たな色が設定されるようになる。
【００３１】
図８の対応表での色の設定状態を、実際の２４時間での表示状態で示したのが、図９及び図１０である。図９は１時台から１２時台までの例を示し、図１０は１３時台から０時台までの例を示す。この図９及び図１０において、時針１１０と分針１２０とで仕切られる２つの領域に示した番号が、それぞれの領域に設定される色の番号である。図１０に示した表示例の内で、１８時台での表示例は、両針１１０，１２０が重なった後の表示であり、１９時台での表示例は、両針１１０，１２０が重なる前の表示であるため、その２つの表示例では色番号が同じとなっている。
この図９及び図１０に示すように、各色が順に引き継がれて背景色として表示されるようになる。
【００３２】
［本実施の形態による効果］
本実施の形態によると、このようなアナログ時計の表示が行われることで、時針１１０と分針１２０とで仕切られる２つの領域が、異なる背景色で表示されると共に、時針１１０と分針１２０とが重なるごとに、背景色が変わり、良好なアナログ時計表示が行える。
特に、時針１１０と分針１２０とで仕切られる２つの領域が、異なる背景色で表示されるため、各針１１０，１２０の表示状態から時刻が判ると共に、２色の背景色の領域の設定状態からも、おおよその時刻が判り、非常に時刻が判りやすい表示形態となる。
また、約１時間ごと（正確には次に両針が重なる時刻ごと）に背景色が変化するので、画面の色が次々変わる表示形態となり、デザイン的に優れた表示形態となる。
さらに、時針１１０中に時と曜日を数字及び文字で表示させ、分針１２０中に分を数字で表示させるので、その表示からも現在時刻が判り、時刻の判りやすい表示が行われる。
さらにまた、各針１１０，１２０が１分ごとに動く際には、一時的に針を太くして、文字サイズを大きくして表示させるので、時刻が変わる際には、そのことが表示から容易に判断できる良好な表示形態となる。
さらにまた、本実施の形態においては、背景色の設定を行うために、各針の位置に対応して設定される背景Ａ，Ｂ，Ｃの３つの背景を設定して、描画処理を行うようにしたことで、それぞれの時刻での描画を簡単な演算処理で行うことが可能となる効果を有する。特に図６のフローチャート及び図７の表示例で示したマスクの設定を行うことで、適正な表示領域が簡単に設定されるようになる効果を有する。
【００３３】
以上、本発明の実施形態例について説明したが、本発明は上記実施形態例に限定されるものではなく、特許請求の範囲に記載した本発明の要旨を逸脱しない限りにおいて、他の変形例、応用例を含むことは言うまでもない。
例えば、上述した実施の形態では、携帯電話端末の表示に適用した例としたが、その他のカラー表示可能な表示パネルを備えた各種電子機器の時計表示に適用してもよい。時計表示だけをおこなう表示装置に適用してもよい。或いはまた、本実施の形態の表示処理をプログラム化して、コンピュータ装置などの情報処理装置が備える表示部での表示を、そのプログラム（ソフトウェア）の処理で行うようにしてもよい。
【図面の簡単な説明】
【００３４】
【図１】本発明の一実施の形態による携帯電話端末の内部構成を示すブロック図である。
【図２】本発明の一実施の形態による携帯電話端末及びその表示の例を示す正面図である。
【図３】本発明の一実施の形態による表示例を示す説明図である。
【図４】本発明の一実施の形態による別の表示例を示す説明図である。
【図５】本発明の一実施の形態による表示要素を分解して示す説明図である。
【図６】本発明の一実施の形態による処理例を示すフローチャートである。
【図７】本発明の一実施の形態によるマスクと背景の例を示す説明図である。
【図８】本発明の一実施の形態による色番号の割り当ての例を示す説明図である。
【図９】本発明の一実施の形態による各時刻での色番号の設定状態の例を示す説明図である。
【図１０】本発明の一実施の形態による各時刻での色番号の設定状態の例を示す説明図である。
【符号の説明】
【００３５】
１０…携帯電話端末、１１…制御部、１２…通信処理部、１３…アンテナ、１４…メモリ部、１５…音声処理部、１６…スピーカ、１７…マイクロフォン、１８…記憶媒体インターフェース部、２１…制御ライン、２２…データライン、３０…操作部、４０…表示部、４１…表示パネル、１１０…時針、１１１…時表示、１１１ａ…時表示位置の軌跡、１１２…曜日表示、１２０…分針、１２１…分表示、１２１ａ…分表示位置の軌跡
【図１】
2009293960.tif 000003
【図２】
2009293960.tif 000004
【図３】
2009293960.tif 000005
【図４】
2009293960.tif 000006
【図５】
2009293960.tif 000007
【図６】
2009293960.tif 000008
【図７】
2009293960.tif 000009
【図８】
2009293960.tif 000010
【図９】
2009293960.tif 000011
【図１０】
2009293960.tif 000012